(57)【要約】【課題】  ケース内において眼鏡を緩衝的に保持することができ、ケース内での眼鏡のガタつきを防止して傷めることなく収容することができる眼鏡の安定収容ケースを提供すること。【解決手段】  ケース体１の蓋部材１Ａ・１Ｂの内部空間における収容凹部11Ａ・11Ｂにはそれぞれ弾性クッション材２Ａ・２Ｂが配置されており、これら弾性クッション材２Ａ・２Ｂの対向接合面21Ａ・21Ｂの何れか一方に、収容すべき眼鏡Ｇを載置して上蓋１Ａおよび下蓋１Ｂの枠体12Ａ・12Ｂが接合して閉じ合わせたとき、眼鏡Ｇが前記対向接合面21Ａ・21Ｂ間に挟まれた状態で前記収容凹部11内に収容される一方、少なくともこの眼鏡収容箇所において、前記弾性クッション材２が弾性変形して凹陥するとともに、この凹陥部が前記眼鏡Ｇを緩衝的に抱持して、当該ケース内に収容された眼鏡Ｇを制動保持できるようにするという技術的手段を採用した。【選択図】  図１
0003104058.tif 000002
【実用新案登録請求の範囲】
【請求項１】
展開または分離可能な一対の上蓋１Ａと下蓋１Ｂを接合させることによって眼鏡Ｇを収容可能な内部空間を有するケース体１であって、
これら蓋部材の内部空間における収容凹部11Ａ・11Ｂにはそれぞれ弾性クッション材２Ａ・２Ｂが配置されており、これら弾性クッション材２Ａ・２Ｂの対向接合面21Ａ・21Ｂの何れか一方に、収容すべき眼鏡Ｇを載置して前記上蓋１Ａおよび下蓋１Ｂの枠体12Ａ・12Ｂが接合して閉じ合わせたとき、眼鏡Ｇが前記対向接合面21Ａ・21Ｂ間に挟まれた状態で前記収容凹部11内に収容される一方、少なくともこの眼鏡収容箇所において、前記弾性クッション材２が弾性変形して凹陥するとともに、この凹陥部が前記眼鏡Ｇを緩衝的に抱持して、当該ケース内に収容された眼鏡Ｇを制動保持できることを特徴とする眼鏡の安定収容ケース。
【請求項２】
ケース本体１の上蓋１Ａおよび下蓋１Ｂとの枠体12Ａ・12Ｂ縁部に伸縮性シートをそれぞれ張設して、弾性クッション材２の対向接合面21Ａ・21Ｂが形成されていることを特徴とする請求項１記載の眼鏡の安定収容ケース。
【請求項３】
ケース本体１の上蓋１Ａおよび下蓋１Ｂの収容凹部11Ａ・11Ｂ内に発泡樹脂から成る形状復元可能なスポンジ部材が敷設され、弾性クッション材２の対向接合面21Ａ・21Ｂが形成されていることを特徴とする請求項１または２記載の眼鏡の安定収容ケース。
【請求項４】
ケース本体１の上蓋１Ａおよび下蓋１Ｂの収容凹部11Ａ・11Ｂ内に形状復元可能な低反発性ウレタン樹脂が敷設され、弾性クッション材２の対向接合面21Ａ・21Ｂが形成されていることを特徴とする請求項１〜３の何れか一つに記載の眼鏡の安定収容ケース。
【請求項５】
ケース本体１の上蓋１Ａおよび下蓋１Ｂの収容凹部11Ａ・11Ｂに、それぞれ弾性テープ材がネット状に懸架され、弾性クッション材２の対向接合面21Ａ・21Ｂが形成されていることを特徴とする請求項１〜４の何れか一つに記載の眼鏡の安定収容ケース。
【請求項６】
ケース本体１の上蓋１Ａおよび下蓋１Ｂの枠体12Ａ・12Ｂの縁部がヒンジ連結して開閉自在に形成されていることを特徴とする請求項１〜５の何れか一つに記載の眼鏡の安定収容ケース。
【請求項７】
ケース本体１の上蓋１Ａおよび下蓋１Ｂの枠体12Ａ・12Ｂの接面が磁着して開閉自在に形成されていることを特徴とする請求項１〜５の何れか一つに記載の眼鏡の安定収容ケース。
【考案の詳細な説明】
【技術分野】
【０００１】
本考案は、眼鏡ケースの改良、更に詳しくは、ケース内において眼鏡を緩衝的に保持することができ、ケース内での眼鏡のガタつきを防止して傷めることなく収容することができる眼鏡の安定収容ケースに関するものである。
【背景技術】
【０００２】
周知のとおり、眼鏡は不使用時には所定のケースに収容されており、通常、眼鏡の形状に合わせて作られた長手の箱型や袋型のものがある。特に持ち運びの際には、振動などで眼鏡がケース内でバタついてしまうという問題があり、構成各部（例えば、フロント枠とテンプル、レンズに対する鼻当クリングスなど）の表面のメッキ装飾などが剥離してしまったり、眼鏡が破損したりするおそれがあったため、収容部に固定するものが開示されている（例えば、特許文献１参照）。
【０００３】
しかしながら、かかる眼鏡ケースにあっては、まず、眼鏡に合わせて凹部を作製せねばならず、大きさや形状が一義的に定まるために、他の形状の眼鏡を収容しようとしても互換性がないという不満がある。
【０００４】
また、眼鏡を収容する際にも、この凹部に対して、その都度、位置決めをして嵌合させねばならず、作業が面倒であるという不満もあった。
【特許文献１】特開２００１−３７５２０号公報（第２−４頁、第１図）
【考案の開示】
【考案が解決しようとする課題】
【０００５】
本考案は、従来の眼鏡ケースに上記のような問題があったことに鑑みて為されたものであり、ケース内において眼鏡を緩衝的に保持することができ、ケース内での眼鏡のガタつきを防止して傷めることなく収容することができる眼鏡の安定収容ケースを提供することを技術的課題とする。
【課題を解決するための手段】
【０００６】
本考案者が上記課題を解決するために採用した手段を添付図面を参照して説明すれば次のとおりである。
【０００７】
即ち、本考案は、展開または分離可能な一対の上蓋１Ａと下蓋１Ｂを接合させることによって眼鏡Ｇを収容可能な内部空間を有するケース体１であって、
これら蓋部材の内部空間における収容凹部11Ａ・11Ｂにはそれぞれ弾性クッション材２Ａ・２Ｂが配置されており、これら弾性クッション材２Ａ・２Ｂの対向接合面21Ａ・21Ｂの何れか一方に、収容すべき眼鏡Ｇを載置して前記上蓋１Ａおよび下蓋１Ｂの枠体12Ａ・12Ｂが接合して閉じ合わせたとき、眼鏡Ｇが前記対向接合面21Ａ・21Ｂ間に挟まれた状態で前記収容凹部11内に収容される一方、少なくともこの眼鏡収容箇所において、前記弾性クッション材２が弾性変形して凹陥するとともに、この凹陥部が前記眼鏡Ｇを緩衝的に抱持して、当該ケース内に収容された眼鏡Ｇを制動保持できるようにするという技術的手段を採用した。
【０００８】
また、本考案は、上記課題を解決するために、必要に応じて上記手段に加え、ケース本体１の上蓋１Ａおよび下蓋１Ｂとの枠体12Ａ・12Ｂ縁部に伸縮性シートをそれぞれ張設して、弾性クッション材２の対向接合面21Ａ・21Ｂを形成するという技術的手段を採用し
た。
【０００９】
更にまた、本考案は、上記課題を解決するために、必要に応じて上記手段に加え、ケース本体１の上蓋１Ａおよび下蓋１Ｂの収容凹部11Ａ・11Ｂ内に発泡樹脂から成る形状復元可能なスポンジ部材が敷設され、弾性クッション材２の対向接合面21Ａ・21Ｂを形成するという技術的手段を採用した。
【００１０】
更にまた、本考案は、上記課題を解決するために、必要に応じて上記手段に加え、ケース本体１の上蓋１Ａおよび下蓋１Ｂの収容凹部11Ａ・11Ｂ内に形状復元可能な低反発性ウレタン樹脂が敷設され、弾性クッション材２の対向接合面21Ａ・21Ｂを形成するという技術的手段を採用した。
【００１１】
更にまた、本考案は、上記課題を解決するために、必要に応じて上記手段に加え、ケース本体１の上蓋１Ａおよび下蓋１Ｂの収容凹部11Ａ・11Ｂに、それぞれ弾性テープ材がネット状に懸架され、弾性クッション材２の対向接合面21Ａ・21Ｂを形成するという技術的手段を採用した。
【００１２】
更にまた、本考案は、上記課題を解決するために、必要に応じて上記手段に加え、ケース本体１の上蓋１Ａおよび下蓋１Ｂの枠体12Ａ・12Ｂの縁部をヒンジ連結して開閉自在に形成するという技術的手段を採用した。
【００１３】
更にまた、本考案は、上記課題を解決するために、必要に応じて上記手段に加え、ケース本体１の上蓋１Ａおよび下蓋１Ｂの枠体12Ａ・12Ｂの接面を磁着して開閉自在に形成するという技術的手段を採用した。
【考案の効果】
【００１４】
本考案にあっては、蓋部材の内部空間における収容凹部にそれぞれ弾性クッション材を配置したことにより、これら弾性クッション材の対向接合面の何れか一方に、収容すべき眼鏡を載置して上蓋および下蓋の枠体が接合して閉じ合わせたとき、眼鏡を前記対向接合面間に挟んだ状態で前記収容凹部内に収容され、少なくともこの眼鏡収容箇所において、前記弾性クッション材が弾性変形して凹陥するので、この凹陥部が前記眼鏡を緩衝的に抱持して、当該ケース内に収容された眼鏡を制動保持できる。
【００１５】
従って、眼鏡の持ち運びの際であっても、振動などで眼鏡がケース内でバタつくことを防止することができるので、表面のメッキ装飾などが剥離してしまったり、眼鏡が破損したりするのを防止して安定的に収容することができることから、実用的価値は頗る高いものがあると云える。
【考案を実施するための最良の形態】
【００１６】
本考案の実施形態を具体的に図示した図面に基いて更に詳細に説明すると次のとおりである。
【００１７】
『第１実施形態』
本発明の第１実施形態を図１から図３に基いて説明する。図中、符号１で指示するものはケース体であり、このケース体１は、展開または分離可能な一対の上蓋１Ａと下蓋１Ｂを接合させることによって眼鏡Ｇを収容可能な内部空間を有する。本実施形態では、前記上蓋１Ａおよび下蓋１Ｂの枠体12Ａ・12Ｂの縁部がヒンジ連結して開閉自在に形成する。また、符号２で指示するものは弾性クッション材であり、この弾性クッション材２は、復元性を有する弾性部材である。
【００１８】
しかして、本発明の眼鏡ケースを構成するにあっては、まず、これら蓋部材の収容凹部11Ａ・11Ｂにそれぞれ弾性クッション材２Ａ・２Ｂを配置する。本実施形態では、ケース本体１の上蓋１Ａおよび下蓋１Ｂとの枠体12Ａ・12Ｂの内枠12ａ・12ｂの各縁部に伸縮性シート（例えば、超極細繊維編物生地）を折り込んで張設することによって、弾性クッション材２の対向接合面21Ａ・21Ｂを形成する（図１参照）。
【００１９】
次いで、これら弾性クッション材２Ａ・２Ｂの対向接合面21Ａ・21Ｂの何れか一方に、収容すべき眼鏡Ｇを載置して、前記上蓋１Ａおよび下蓋１Ｂの枠体12Ａ・12Ｂを接合して閉じ合わせると、眼鏡Ｇが前記対向接合面21Ａ・21Ｂ間に挟まれた状態で前記収容凹部11内に収容される（図２および図３参照）。
【００２０】
この際、少なくともこの眼鏡収容箇所において、前記弾性クッション材２が弾性変形して凹陥するので、この凹陥部が前記眼鏡Ｇを緩衝的に抱持して、当該ケース内に収容された眼鏡Ｇを制動保持できるのである。
【００２１】
従って、眼鏡の持ち運びの際に振動しても、眼鏡がケース内でバタつくことを防止することができるので、表面のメッキ装飾などが剥離してしまったり、眼鏡が破損したりすることなく安定的に収容することができる。
【００２２】
『第２実施形態』
次に、本発明の第２実施形態を図４に基いて説明する。本実施形態では、ケース本体１の上蓋１Ａおよび下蓋１Ｂの収容凹部11Ａ・11Ｂに、それぞれ弾性テープ材をネット状に懸架することによって、弾性クッション材２の対向接合面21Ａ・21Ｂを形成する。
【００２３】
この弾性テープ材は、紐状のものや一定幅を有するテープ状のものを採用することができ、本実施形態では、テープ状のものをクロスさせてネット状にして固定して形成している。
【００２４】
かかる構成であっても、第１実施形態と同様に、凹陥部が前記眼鏡Ｇを緩衝的に抱持して、当該ケース内に収容された眼鏡Ｇを制動保持することができる。
【００２５】
『第３実施形態』
本発明の第３実施形態を図５に基いて説明する。本実施形態では、ケース本体１の上蓋１Ａおよび下蓋１Ｂの枠体12Ａ・12Ｂの接面を磁着して開閉自在となるように形成する。この際、適宜、両方の蓋部材を繋ぐようにしても良い。
【００２６】
また、本実施形態では、ケース本体１の上蓋１Ａおよび下蓋１Ｂの収容凹部11Ａ・11Ｂ内に発泡樹脂から成る形状復元可能なスポンジ部材か、あるいは、形状復元可能な低反発性ウレタン樹脂を敷設することにより、弾性クッション材２の対向接合面21Ａ・21Ｂを形成することができる。
【００２７】
かかる構成であっても、第１および第２実施形態と同様に、凹陥部が前記眼鏡Ｇを緩衝的に抱持して、当該ケース内に収容された眼鏡Ｇを制動保持することができる。
【００２８】
本考案は、概ね上記のように構成されるが、本考案は図示の実施形態に限定されるものでは決してなく、「実用新案登録請求の範囲」の記載内において種々の変更が可能であって、例えば、ケース本体１の形状は図示のものに限らず、他形状に設計を変更することができる。
【００２９】
また、弾性クッション材２にあっては、形状復元可能な弾性材料であれば、他の弾性材料を使用することも可能であるし、また、形状的に反発性を発生させることができる弾性構造にすることができ、何れのものも本考案の技術的範囲に属する。
【図面の簡単な説明】
【００３０】
【図１】本考案の第１実施形態品を表わす全体斜視図である。
【図２】本発明の第１実施形態品の構造を表わす説明断面図である。
【図３】本発明の第１実施形態品の構造を表わす説明断面図である。
【図４】本発明の第２実施形態品を表わす全体斜視図である。
【図５】本発明の第３実施形態品を表わす全体斜視図である。
【符号の説明】
【００３１】
１    ケース体
１Ａ  上蓋
１Ｂ  下蓋
11    収容凹部
11Ａ  （上蓋の）収容凹部
11Ｂ  （下蓋の）収容凹部
12    枠体
12Ａ  （上蓋の）枠体
12ａ  （上蓋枠体の）内枠
12Ｂ  （下蓋の）枠体
12ｂ  （下蓋枠体の）内枠
２    弾性クッション材
２Ａ  （上蓋の）弾性クッション材
２Ｂ  （下蓋の）弾性クッション材
21    対向接合面
21Ａ  （上蓋の）対向接合面
21Ｂ  （下蓋の）対向接合面
Ｇ    眼鏡
【図１】
0003104058.tif 000003
【図２】
0003104058.tif 000004
【図３】
0003104058.tif 000005
【図４】
0003104058.tif 000006
【図５】
0003104058.tif 000007